(57)【要約】【課題】立ち上がり動作をスムーズにかつ安全に行うことができかつ簡易に持ち運びができる立ち上がり補助具を提供する。【解決手段】座位姿勢からの立ち上がり動作を補助するための立ち上がり補助具１であって、床面に設置されるベースプレート２と、ベースプレート２に所定間隔を保持して対向した状態で立設された左右一対のサイドプレート３と、サイドプレート３の間に横架された支軸３ａに上向きに装着されたシャフト４と、シャフト４の上端部４ａに設けられたグリップ５とから構成され、シャフト４は支軸３ａを支点として前後方向に揺動自在とされている。【選択図】図２
0003232889.tif 000002
【実用新案登録請求の範囲】
【請求項１】
座位姿勢からの立ち上がり動作を補助するための立ち上がり補助具であって、床面に設置されるベースプレートと、前記ベースプレートに所定間隔を保持して対向した状態で立設された左右一対のサイドプレートと、前記サイドプレート間に横架された支軸に上向きに装着されたシャフトと、前記シャフトの上端部に設けられたグリップとから構成され、前記シャフトは前記支軸を支点として前後方向に揺動自在とされていることを特徴とする立ち上がり補助具。
【請求項２】
前記シャフトの下端近傍部と前記サイドプレート内側の前下側近傍部との間には、前記シャフトに弾性力を生起させる弾性部材が連結されていることを特徴とする請求項１記載の立ち上がり補助具。
【請求項３】
前記サイドプレートの内側には、前記シャフトの下端近傍部が当接し所定の揺動角度で係止するための前方用及び後方用ストッパーがそれぞれ取り付けられていることを特徴とする請求項１記載の立ち上がり補助具。
【請求項４】
前記シャフトの前方係止位置に対する前記シャフトの鉛直位置からの前方揺動角度は、前記シャフトの後方係止位置に対する前記シャフトの鉛直位置からの後方揺動角度より大きく設定されていることを特徴とする請求項１記載の立ち上がり補助具。
【請求項５】
前記ベースプレートの前側は、前記シャフトの前方係止位置におけるグリップの鉛直下方位置より１０ｃｍ〜３０ｃｍ張り出していることを特徴とする請求項１記載の立ち上がり補助具。
【考案の詳細な説明】
【技術分野】
【０００１】  本考案は、ベッドや車椅子、ソファーなどに腰掛けた状態から立ち上がるときに使用する立ち上がり補助具に関するものである。
【背景技術】
【０００２】  脚部の機能の衰えた高齢者や要支援者などがベッドや車椅子、ソファーなどに座った状態から自力で立ち上がる際には杖や例えば特許文献１又は特許文献２に示すような立ち上がり補助具が日常的に使用されている。
【先行技術文献】
【特許文献】
【０００３】
【特許文献１】特開２００６−１０２４５３号公報
【特許文献２】特開２０１３−６３２８１号公報
【考案の概要】
【考案が解決しようとする課題】
【０００４】  上述のように脚部の機能の衰えた高齢者や要支援者などがベッドや車椅子、ソファーなどに座った状態から自力で立ち上がる際には杖や立ち上がり補助具が日常的に使用されているが、杖のみを支えにして自分で立ち上がる場合は非常に不安定で、最悪の場合転倒事故を引き起こすおそれがあり、また特許文献１又は特許文献２に示すような立ち上がり補助具は使用者が手で把持するための手摺部や支柱部が固定式のため立ち上がり時の重心移動がスムーズに行い難いという課題があった。また従来の立ち上がり補助具は据え付け固定式のものや大掛かりな機構を有するものが多く、簡易に持ち運びができないという課題もあった。
本考案は、上記課題を解決するため、立ち上がり時の使用者の重心移動に応じてグリップを有する支柱又はシャフトが揺動変位することで立ち上がり動作をスムーズにかつ安全に行うことができ、かつ簡易に持ち運びができる立ち上がり補助具を提供することを目的とする。
【課題を解決するための手段】
【０００５】  本考案の立ち上がり補助具は、座位姿勢からの立ち上がり動作を補助するための立ち上がり補助具であって、床面に設置されるベースプレートと、前記ベースプレートに所定間隔を保持して対向した状態で立設された左右一対のサイドプレートと、前記サイドプレート間に横架された支軸に上向きに装着されたシャフトと、前記シャフトの上端部に設けられたグリップとから構成され、前記シャフトは前記支軸を支点として前後方向に揺動自在とされていることを特徴とし、前記シャフトの下端近傍部と前記サイドプレート内側の前下側近傍部との間には、前記シャフトに弾性力を生起させる弾性部材が連結されており、また前記サイドプレートの内側には、前記シャフトの下端近傍部が当接し所定の揺動角度で係止するための前方用及び後方用ストッパーがそれぞれ取り付けられており、さらに前記シャフトの前方係止位置に対する前記シャフトの鉛直位置からの前方揺動角度は、前記シャフトの後方係止位置に対する前記シャフトの鉛直位置からの後方揺動角度より大きく設定されていることを特徴としている。
【考案の効果】
【０００６】  本考案の立ち上がり補助具を使用すれば、脚部の機能の衰えた高齢者や要支援者などがベッドや車椅子、ソファーなどに座った状態から自力で立ち上がる際に使用者の重心移動に応じてグリップを有するシャフトが揺動変位することで立ち上がり動作をスムーズに、かつ安全に行うことができる。さらに簡易機構により軽量化を実現しているため必要な場所に容易に持ち運びができるとともに必要な位置に簡易に設置することができる。
また、本考案の立ち上がり補助具は単体で使用してもよいし、片手で杖を持ち他方の手で本考案の立ち上がり補助具を併用すれば効果的に立ち上がることができる。さらに本考案の立ち上がり補助具を左右それぞれの手で使用すれば立ち上がり動作をさらにスムーズに行うことができる。
【図面の簡単な説明】
【０００７】
【図１】本考案に係る立ち上がり補助具で、サイドプレートの前側一部を破断線で切り取って内部を表示した正面図である。
【図２】本考案に係る立ち上がり補助具で、サイドプレートの一部を破断線で切り取って内部を表示した右側面図である。
【図３】本考案に係る立ち上がり補助具の使用状態を示す正面図である。
【図４】本考案に係る立ち上がり補助具の使用状態を示す右側面図である。
【考案を実施するための形態】
【０００８】  以下、本考案に係る立ち上がり補助具の実施の形態について図１〜図４に基づいて説明する。
請求項１に係る立ち上がり補助具１は、床面上に立ち上がり補助具１を安定的に設置するためのベースプレート２と、ベースプレート２の左右方向中央付近に２ｃｍ程度の間隔を保持して対向した状態で設置された左右一対のサイドプレート３と、このサイドプレート３を保持するための補強８及びスペーサー９と、サイドプレート３の間に水平に取り付け固定した支軸３ａと、この支軸３ａに貫通穴を介して上向きに装着され上端部４ａにグリップ５を有するシャフト４とから構成され、シャフト４は支軸３ａを支点として前後方向に揺動自在とされている。
立ち上がり補助具１は、図４に示すように正面側を使用者から見て前方方向に向けて使用するが、使用者が立ち上がり動作中の重心の移動に応じて使用者が把持しているグリップ５も広範囲に変位することで立ち上がり動作をスムーズにかつ楽に行うことができる。
【０００９】  なお、ベースプレート２、サイドプレート３、補強８及びスペーサー９の材質は木材や樹脂などが用いられるが特に問わない。シャフト４は、自立強度がある金属パイプ、プラスチックパイプで杖と同程度の直径の棒材等を使用し、グリップ５については片手でしっかりと把持できる形状であればよい。
また、２枚のサイドプレート３には前部、後部及び上部の開口部を覆うためそれぞれサイドプレート前カバー７ａ、サイドプレート後カバー７ｂ及びサイドプレート上カバー７ｃの薄板のサイドプレートカバー７が取り付けられており、安全性や美観性の向上を図っている。
【００１０】  請求項２に係る立ち上がり補助具１は、シャフト４の下端部近傍部４ｂとサイドプレート３の内側の前下側近傍部との間に引張バネ６を連結している。これによりグリップ５が前方へ変位するにつれて引張バネ６の反発力が強まるため前方への急激な変位を防ぐことができるので脚部の機能が衰えた高齢者や要支援者がベッドや車椅子、ソファーなどに座った状態から立ち上がろうとシャフト４の上端部４ａのグリップ５を前方向に倒す動作を安全に行うことができる。また、この引張バネ６の作用で立ち上がり動作を終えて使用者がグリップ５から手を離すとグリップ５は後述する初期位置に自動的に戻る。
なお、実施例では引張バネを使用しているが他の弾性部材例えばゴム紐などを使用してもよい。
【００１１】  請求項３に係る立ち上がり補助具１は、サイドプレート３の内側に装着したシャフト４が後述する揺動角度に達したときに停止させることを目的に、シャフト４の下端近傍部４ｂと当接する前位置にストッパー３ｂ、後位置に３ｃがそれぞれ取付けられている。これによりシャフト４の揺動範囲が強制的に定まり、それ以上の揺動を阻止できるようにしている。
【００１２】  請求項４に係る立ち上がり補助具１は、シャフト４の前方係止位置に対するシャフト４の鉛直位置からの前方揺動角度θ１がシャフト４の後方係止位置に対するシャフト４の鉛直位置からの後方揺動角度θ２より大きく設定されている。具体的には前方揺動角度θ１を３０〜４０度、後方揺動角度θ２を２〜１０度の設定が効果的である。後方揺動角度θ２の位置はグリップ５の初期位置となるが、この後方揺動角度θ２分だけ使用者の手前にグリップ５がくるため座位姿勢のときにグリップ５を把持し易くなり、グリップ５の把持後の立ち上がり動作すなわち後方揺動角度θ２の位置から終了すなわち前方揺動角度θ１の位置までグリップ５の広範囲な変位により安定的に立ち上がり動作を行うことができる。
なお、各ストッパーの取り付け位置は、サイドプレート３に数か所ネジ溝を予め設けておけばシャフト４の係止位置を使用者に合わせて任意に選択することができる。
【００１３】  請求項５に係る立ち上がり補助具１は、ベースプレート２の前側においてシャフト４の前方係止位置におけるグリップ５の鉛直下方位置より１０ｃｍ〜３０ｃｍ程度の前方張り出し部２ａを設けているため使用者が前方に過度な力を掛けた場合でも立ち上がり補助具１の前方への浮き上がりや転倒を防止することができる。
【００１４】  本考案の立ち上がり補助具１は、単体で使用してもよいし、図３に示すように片手で普段使用する杖を持ち他方の手で本考案の立ち上がり補助具１を併用すれば、立ち上がり動作をさらに安定的に行うことができ、立ち上がり後の歩行をスムーズに行うことができる。また、本考案の立ち上がり補助具１を２基使用し、左右それぞれの手で使用するようにすれば立ち上がり動作をさらにスムーズにかつ楽に行うことができる。
【００１５】  本考案の立ち上がり補助具１は、簡易機構により軽量化を実現しているため必要な場所に容易に持ち運びができるとともに必要な位置に簡易に設置することができる。
【符号の説明】
【００１６】１    立ち上がり補助具
２    ベースプレート
２ａ  前方張り出し部
３    サイドプレート
３ａ  支軸
３ｂ  ストッパー（前方係止用）
３ｃ  ストッパー（後方係止用）
４    シャフト
４ａ  上端部
４ｂ  下端近傍部
５    グリップ
６    引張バネ（弾性部材）
７    サイドプレートカバー
７ａ  サイドプレート前カバー
７ｂ  サイドプレート後カバー
７ｃ  サイドプレート上カバー
８    補強
９    スペーサー
θ１  前方揺動角度
θ２  後方揺動角度
【図１】
0003232889.tif 000003
【図２】
0003232889.tif 000004
【図３】
0003232889.tif 000005
【図４】
0003232889.tif 000006